(57)【要約】【課題】  不必要に前腕部施療部における拘束感や圧迫感をもたらしたり、椅子本来の肘掛部の機能が前腕部施療部によって妨げられたりすることがなく、しかも背凭れ部のリクライニングにより腕施療範囲が減少せずに被施療者の腕部に対する充実した施療を実施することが可能な施療機を提供する。【解決手段】  座部１１ａとリクライニング可能な背凭れ部１２ａを座部１１ａ両側に肘掛部１４ａを備えて椅子本体１０ａを形成すると共に、該肘掛部１４ａは前腕を狭持する前腕部狭持機構５を備え、該前腕部狭持機構５は前記肘掛部１４ａの長手方向に沿って壁面部１４５ａを形成し、該壁面部１４５ａの内部に、前腕部を施療する前腕部施療部５ａと該前腕部施療部５ａを移動させる施療部移動機構６ａを設けた施療機１ａとする。【選択図】  図１
2010011974.tif 000002
【特許請求の範囲】
【請求項１】
座部とリクライニング可能な背凭れ部を座部両側に肘掛部を備えて椅子本体を形成すると共に、該肘掛部は前腕を狭持する前腕部狭持機構を備え、該前腕部狭持機構は前記肘掛部の長手方向に沿って壁面部を形成し、該壁面部の内部に、前腕部を施療する前腕部施療部と該前腕部施療部を移動させる施療部移動機構を設けたことを特徴とする施療機。
【請求項２】
前記肘掛部の上面に、被施療者の前腕部を載置する前腕部載置面を設けたことを特徴とする請求項１に記載の施療機。
【請求項３】
前記施療部移動機構として空気給排装置の空気の給気により膨張動作して前記前腕部施療部を押し出すための膨縮袋と、押し出された前腕部施療部を引き戻すためのバネとを並設したことを特徴とする請求項１及び請求項２のいずれか記載の施療機。
【請求項４】
前記前腕部施療部に前記空気給排装置によって膨張及び収縮動作する膨縮袋を被施療者の腕部を介して対向状に配設したことを特徴とする請求項１乃至請求項３のいずれか記載の施療機。
【請求項５】
前記前腕部施療部を上部前腕部施療体及び下部前腕部施療体に分割形成すると共に、それらを前記施療部移動機構により同時にまたは各別に移動するようにしたことを特徴とする請求項１乃至請求項４のいずれか記載の施療機。
【請求項６】
前記前腕部施療部を前記背凭れ部のリクライニングと同じ方向に連動するようにしたことを特徴とする請求項１乃至請求項５のいずれか記載の施療機。
【発明の詳細な説明】
【技術分野】
【０００１】
本発明は、被施療者の腕部、特に前腕部に対する充実した施療を実施することが可能な施療機に関するものである。
【背景技術】
【０００２】
従来の施療機において、被施療者の背中のみならず、腕部などの肢体に及んで施療する構成のものは既に存在し、市場では商品化されている。
【０００３】
すなわち、図１６に示すように、座部５とリクライニングが可能な背凭れ部６，及びフットレスト７から主として構成されるマッサージ機１として、被施療者の上腕部を保持する第１保持部分１１と、被施療者の前腕部を保持する第２保持部分１２とによって構成する保持部１０を備えたものが開示されている。
【０００４】
前記第１保持部分１１は、前記背凭れ部６の側部に取り付けられ、前記第２保持部分１２は、前記座部５の側方に設けられたガイドレール９に係合され、また、第１保持部分１１と第２保持部分１２とは枢着され、さらに、第１保持部分１１及び第２保持部分１２には、夫々空気袋を設けて構成している。
【０００５】
被施療者は、座部５に着座し、背凭れ部６に上体を凭れかけた状態で、上腕部を第１保持部分１１に、前腕部を第２保持部分１２に夫々挿入するが、背凭れ部６が後方へ傾倒された時、第１保持部分１１は、背凭れ部６とともに後方へ移動すると共に、これに引っ張られて第２保持部分１２がガイドレール９に沿って略後方へ移動することになる。この時、第１保持部分１１と第２保持部分１２とがなす角度は、背凭れ部６の傾倒に伴って変化することとなる。
【０００６】
そのため、背凭れ部の傾倒前後において、被施療者の腕部と保持部との相対的な位置が殆ど変わることがなく、背凭れ部を傾倒させた場合にも、施療部によって傾倒前の部位と殆ど同一の部位を施療するものとしている。（特許文献１）
【０００７】
また、図１７に示すように他の従来における椅子型マッサージ装置として、被施療者の前腕を支持するアームレスト５に、ガイドレール３７に沿って移動することが可能な着脱部材３８に前腕マッサージ機７を備えたものも存在している。（特許文献２）
【０００８】
さらに、図１８に示す従来のマッサージ機は、リクライニングさせて腕部の位置がリクライニングさせていない状態からずれても、エア給気量を補正して最適なマッサージを行うことを可能としたものであり、肘掛け部１３に載置された被施療者Ｍの腕部をエア給気量に応じて圧迫するエアーバッグ（膨縮袋）９３を腕部の異なる位置に対応するように複数配置しており、被施療者Ｍの身長を検出する手段を設けるとともに、前記検出した身長に応じて各エアーバッグ９３へのエア給気量を変更したり、該エア給気量をもたれ部１２の座部１１に対するリクライニング角度に応じて変更したりするよう構成している。（特許文献３）
【特許文献１】第４０５６２８５号公報（第１２頁、図１）
【特許文献２】特開２００４−２１６１２０号公報（第１５頁、図３）
【特許文献３】特開２００７−２９３９８号公報（第６頁、図１）
【発明の開示】
【発明が解決しようとする課題】
【０００９】
ところで、前記のような従来の施療機について、特許文献１のものは、背凭れ部の傾倒にかかわらず、被施療者の腕部と施療部である保持部との相対的な位置が常時殆ど変わることがないため、被施療者は拘束感を受けやすくなり、また、背凭れ部がリクライニングする場合、被施療者の上腕部を保持する前記第１保持部分と被施療者の前腕部を保持する第２保持部分との間隔に変化が生じて、被施療者の肘部周辺に圧迫感を与えたり、さらには挟み込みの危険が生じたりするものと予測される。
【００１０】
また、特許文献２のものは、肘掛部上を前腕部施療部が移動するため、通常の肘掛けとして使用する場合は、前腕部施療部を脱着部材からわざわざ取り外さなければならず、被施療者に煩わしさをもたらしてリラックス感を損なってしまい、また、前腕部施療部を肘掛部に取り付けている場合は、椅子本来の肘掛部としての機能が妨げられてしまうと考えられる。
【００１１】
加えて、図１６乃至図１７に示すように、特許文献１および特許文献２のものは、被施療者の腕部を施療する施療部を移動させるための機構（例えばガイドレールなど）が施療機に外付けされており、その機構の移動する動作が被施療者に視認されるため、視覚上雑然とし、リラックス効果が阻害されると考えられる。
【００１２】
さらに、特許文献３のものは、背凭れ部のリクライニングにより腕部を施療する膨縮袋の位置からずれても、膨縮袋のエア給気量を変更して腕部に対する圧迫を最適に維持するように構成しているものの、膨縮袋における腕部のずれは、腕施療範囲の減少を招くものとなり、背凭れ部のリクライニングにかかわらず、満遍なく十分に腕部を施療する点では課題となると懸念される。
【００１３】
そこで、本発明は、上記問題点を包括的に解消する為に成されたものであり、不必要に前腕部施療部における拘束感や圧迫感をもたらすことなく、また椅子本来の肘掛部の機能が前腕部施療部によって妨げられることなく、且つ背凭れ部のリクライニングにより腕施療範囲が減少することなく、被施療者の腕部、特に前腕部に対する充実した施療を実施することが可能な施療機を提供する事を目的とするものである。
【課題を解決するための手段】
【００１４】
すなわち、本発明の施療機は、座部とリクライニング可能な背凭れ部と座部両側に肘掛部を備えて椅子本体を形成すると共に、該肘掛部は被施療者の前腕部を狭持する前腕部狭持機構を備え、該前腕部狭持機構は前記肘掛部の長手方向に沿って壁面部を形成し、該壁面部の内部に、被施療者の前腕部を施療する前腕部施療部と該前腕部施療部を移動させる施療部移動機構を設けたものとしている。
【００１５】
さらに、本発明の施療機は、前記肘掛部の上面に、被施療者の前腕部を載置する前腕部載置面を設けたものとしている。
【００１６】
また、本発明の施療機は、前記施療部移動機構として空気給排装置の空気の給気により膨張動作して前記前腕部施療部を押し出すための膨縮袋と、押し出された前腕部施療部を引き戻すためのバネとを並設したものとしている。
【００１７】
さらに、本発明の施療機は、前記前腕部施療部に前記空気給排装置によって膨張及び収縮動作する膨縮袋を被施療者の腕部を介して対向状に配設したものとしている。
【００１８】
また、本発明の施療機は、前記前腕部施療部を上部前腕施療体及び下部前腕施療体に分割形成すると共に、それらを前記施療部移動機構により同時にまたは各別に移動するようにしたものとしている。
【００１９】
さらに、本発明の施療機は、前記前腕部施療部を前記背凭れ部のリクライニングと同じ方向に連動するようにしたものとしている。
【発明の効果】
【００２０】
よって、本発明の施療機は、座部とリクライニング可能な背凭れ部と座部両側に肘掛部を備えて椅子本体を形成すると共に、該肘掛部は被施療者の前腕部を狭持する前腕部狭持機構を備え、該前腕部狭持機構は前記肘掛部の長手方向に沿って壁面部を形成し、該壁面部の内部に、被施療者の前腕部を施療する前腕部施療部と該前腕部施療部を移動させる施療部移動機構を設けたものとしているため、肘掛部における壁面部の内部において、被施療者の前腕部を安静載置した状態で、該前腕部に沿って前腕部施療部を自動的に移動させる独特な構成となっている。
【００２１】
このように、前記前腕部施療部を被施療者の前腕部に沿って移動するようにしているため、これを前腕部の全施療範囲に対応した大きなものとする必要がなくなり、前腕部狭持機構全体を一層コンパクトにすることができる。
【００２２】
その上、上記に示したように前記前腕部狭持機構を前記肘掛部における前記壁面部の内部に内蔵しているので、従来の外付型の前腕部狭持機構のように、その機構や移動動作が被施療者に視認されることはなく、被施療者はリラックスして安静のうちに椅子本体に着座して被施療者の前腕部に対する充実した施療を実施することができる。
【００２３】
さらに、本発明の施療機は、前記肘掛部の上面に、被施療者の前腕部を載置する前腕部載置面を設けたものとしているため、椅子本来の肘掛部の機能が、従来のように前腕部施療部によって妨げられることがなくなる。
【００２４】
また、本発明の施療機は、前記施療部移動機構として空気給排装置の空気の給気により膨張動作して前記前腕部施療部を押し出すための膨縮袋と、押し出された前腕部施療部を引き戻すためのバネとを並設したものとしているため、施療部移動機構を比較的簡易に構成できる。
【００２５】
さらに、本発明の施療機は、前記前腕部施療部に前記空気給排装置によって膨張及び収縮動作する膨縮袋を被施療者の腕部を介して対向状に配設したものとしているため、腕部を挟持状に保持しながら空圧施療を実施することができる。
【００２６】
また、本発明の施療機は、前記前腕部施療部を上部前腕施療体及び下部前腕施療体に分割形成すると共に、それらを前記施療部移動機構により同時にまたは各別に移動するようにしたものとしているため、多様な空圧施療を実施することが可能となる。特に、上部前腕施療体及び下部前腕施療体がそれぞれ前後方向において異なる位置で同期押圧施療を実施する場合、腕部に対するストレッチ効果をもたらすことが可能となる。
【００２７】
さらに、本発明の施療機は、前記前腕部施療部を前記背凭れ部のリクライニングと同じ方向に連動するようにしたものとしているため、背凭れ部がリクライニングしても、腕部における施療範囲が減少することなく、被施療者の腕部に対する十分な施療を実施することができる。
【発明を実施するための最良の形態】
【００２８】
以下に、本発明の施療機を、図面に示す一実施形態に基づきこれを詳細に説明する。
図１は本発明の施療機の一実施形態を示す斜視図であり、図２は本発明の施療機の一実施形態を示す使用時の斜視図であり、図３は本発明の施療機に備えた背凭れ部及び足載部の回動の一実施形態を示す側面説明図であり、図４は本発明の施療機に備えた背凭れ部における側壁部に設けた膨縮袋の膨縮の一実施形態を示す説明図であり、図５は本発明の施療機に備えた前腕部施療部の一実施形態を示す斜視図であり、図６は本発明の施療機に備えた前腕部施療部の移動の一実施形態を示す側面説明図であり、図７及び図８は本発明の施療機に備えた前腕部施療部の移動の一実施形態を示す平面説明図であり、図９は本発明の施療機に備えた前腕部施療部を上部前腕施療体及び下部前腕施療体で構成した一実施形態を示す側面説明図であり、図１０及び図１１は本発明の施療機に備えた上部前腕施療体及び下部前腕施療体で構成した前腕部施療部の移動の一実施形態を示す側面説明図であり、図１２は本発明の施療機に備えた上部前腕施療体及び下部前腕施療体で構成した前腕部施療部におけるストレッチ施療の一実施形態を示す側面説明図であり、図１３及び図１４は本発明の施療機に備えた上部前腕施療体及び下部前腕施療体の移動の一実施形態を示す側面説明図であり、図１５は本発明の施療機に備えた背凭れ部及び前腕部施療部の回動及び移動の一実施形態を示す側面説明図であり、図１６乃至図１８は従来技術を示す参考図である。
【００２９】
すなわち、本発明の施療機は、図１及び図２の実施形態で示したように、被施療者の脚部または足先部が当接する足載部１３ａと、被施療者の臀部または大腿部が当接する座部１１ａと、被施療者の背部が当接する背凭れ部１２ａ、また、座部１１ａの左右に立設して被施療者の手部または前腕部が当接する肘掛部１４ａとを備えて椅子本体１０ａを形成した施療機１ａである。
【００３０】
また、図３に示すように前記背凭れ部１２ａは、前記座部１１ａの後側にリクライニング可能に連結され、前記足載部１３ａは、座部１１ａの前側に上下方向へ揺動可能に連結している。
【００３１】
さらに、前記背凭れ部１２ａの左右両側には、前方に向かって突出した側壁部２ａを夫々配設している。
【００３２】
図１に示すように、前記背凭れ部１２ａには、被施療者背面に多様な形態で施療を施し得る昇降自在な背部施療機構３ａを設けている。該背部施療機構３ａは、左右一対の施療子３１ａを備えており、背凭れ部１２ａの内部左右に設けた左右一対のガイドレール３２ａに沿って背凭れ部１２ａの上端から下端にかけて昇降するようにしている。
【００３３】
前記背部施療機構３ａは、モータ等を駆動源として前記左右一対の施療子３１ａを作動させる機械式の施療機構であり、前記背凭れ部１２ａに凭れた被施療者の首部、背部、腰部、臀部等の背面全域を、たたき、揉み、ローリング、振動、指圧などの多様な形態で施療するようにしたものである。
【００３４】
また、前記施療機１ａの各所定の位置には、空気給排装置４２ａにより膨縮動作を行う膨縮袋４ａを配備している。
【００３５】
すなわち、前記膨縮袋４ａは、エアーコンプレッサー及び各膨縮袋４ａに空気を分配するための分配器等からなる前記空気給排装置４２ａによる給排気によって膨縮動作を行うようにしており、該空気給排装置４２ａは前記座部１１ａの下部空間に配備している。
【００３６】
前記空気給排装置４２ａによる前記各膨縮袋４ａの膨縮動作によって、被施療者の所定の施療部位を押圧、指圧等を実施する事ができ、また複数の膨縮袋４ａを対となるよう対設させた場合には、挟圧等の施療も行う事ができ、更に、各膨縮袋４ａを膨張状態に保つようにした場合は、被施療者の所定の部位を一定の時間保持する事も可能としている。
【００３７】
図１に示すように、前記背凭れ部１２ａの適位置に、前記膨縮袋４ａを配備している。すなわち、該背凭れ部１２ａの前面側左右上部及び左右下部に各膨縮袋４ａを設けて、被施療者の背中及び腰部を押圧、または左右両側から挟圧するような施療を行うよう構成している。
【００３８】
また、前記座部１１ａの適位置にも、前記膨縮袋４ａを配備する事ができる。図１に示すように、座部１１ａの前後に腿部用また臀下部用の各膨縮袋４ａを夫々埋設して、主に下方から上方に押圧する施療を行うようにしている。
【００３９】
前記足載部１３ａは、被施療者の脛部及び足先部を嵌入させる左右一対の凹部１３１ａを備えたものとして形成する事ができ、各凹部１３１ａの適位置に前記空気給排装置４２ａによる給排気により膨縮動作を行わせる膨縮袋４ａを配備している。図１に示すように、前記足載部１３ａの前記各凹部１３１ａに、前記膨縮袋４ａを左右一対として対設するよう配設させて、凹部内部で被施療者の脛部及び足先部に対する挟圧施療を実施するよう構成している。
【００４０】
図２に示すように、前記背凭れ部１２ａに設けた左右の側壁部２ａは、座部１１ａに着座した被施療者の肩部または上腕側方となる位置に配設しており、該各側壁部２ａの適位置に、前記空気給排装置４２ａによる給排気により膨縮動作を行わせる膨縮袋４ａを配備している。
【００４１】
図４に示すように、前記左右の側壁部２ａの内側面において、夫々左右方向に重合した膨縮袋４ａを並列状態に埋設して構成している。これら重合した膨縮袋４ａはその基端部のみを側壁部２ａの基端部に取り付けているため、膨張時には重合した膨縮袋４ａが扇状に広がって被施療者の肩部や上腕部の身体側部を挟圧しつつ、身体前方まで覆うようになる。
【００４２】
よって、前記左右側壁部２ａの前記膨縮袋４ａは、上記したように膨縮動作により身体側部を施療する事ができるだけでなく、一定の時間において膨張状態を保ちながら、被施療者の身体が前記背凭れ部１２ａから離れないようにしっかりと保持する事ができ、図４に示すように被施療者の身体を固定したままの状態で前記背部施療機構３ａの前記施療子３１ａによる背部からの施療を効果的に受ける事が可能となるのである。
【００４３】
上記に示すように本発明の施療機１ａは、前記座部１１ａとリクライニング可能な前記背凭れ部１２ａと前記肘掛部１４ａとを備えて前記椅子本体１０ａを形成したものであるが、さらに、図１に示すように、該被施療者の前腕部を載置する前腕部載置面１４１ａを上面とする肘掛部１４ａに、被施療者の前腕を狭持する前腕部狭持機構５を備えたものとしている。
【００４４】
前腕部狭持機構５は、前記肘掛部１４ａの長手方向に沿って壁面部１４５ａを形成した内部に、
被施療者の前腕部を施療する前腕部施療部５ａと、該前腕部施療部５ａを移動させる施療部移動機構６ａとを設けて構成している。
【００４５】
すなわち、前記肘掛部１４ａの前記壁面部１４５ａにおいて、被施療者の前腕部が挿入可能な腕部挿入溝１４２ａを設け、該腕部挿入溝１４２ａの内部において前記前腕部施療部５ａを配設している。
【００４６】
前記腕部挿入溝１４２ａは、図６に示すように前記肘掛部１４ａにおいて前後に貫通形成したものであり、被施療者の指先から肩付近までの腕全体を挿入することができる。
【００４７】
前記前腕部施療部５ａは図５に示すように、被施療者の前腕部を挿入可能とする前方視コ字状凹部を形成したフレーム５０ａの適所において、前記空気給排装置４２ａによって膨張及び収縮動作する膨縮袋４ａを配設している。
【００４８】
前記膨縮袋４ａは、被施療者の前腕部を介して対向状に配設したものとしているため、前記前腕部施療部５ａにおいて挟持空圧施療が実施可能となっている。
【００４９】
また、本発明の施療機１ａは、図６に示すように前記腕部挿入溝１４２ａの内部において前記前腕部施療部５ａを施療部移動機構６ａにより腕部挿入溝１４２ａに挿入した被施療者の前腕部に沿って移動可能に設けたものとしている。
【００５０】
すなわち、前記前腕部施療部５ａは、該前腕部施療部５ａに備えた回転輪５０１ａと、該回転輪５０１ａを案内転動するガイドレール１４３ａとにより、被施療者の前腕部に沿って前記腕部挿入溝１４２ａの内部において移動することが可能となっている。
【００５１】
また、図７及び図８に示すように、前記施療部移動機構６ａは、前記空気給排装置４２ａの空気の給気により膨張動作して前記前腕部施療部５ａを押し出すための膨縮袋６１ａと、押し出された前腕部施療部５ａを引き戻すためのバネ６２ａとを並設したものとしている。
【００５２】
前記バネ６２ａは、前記前腕部施療部５ａを前記腕部挿入溝１４２ａの最前方位置に引き戻す引張力を有しているため、前記膨縮袋６１ａが収縮状態の時には、常にこのバネ６２ａにより前記前腕部施療部５ａを前記腕部挿入溝１４２ａの最前方位置に戻すことができる。
【００５３】
前記腕部挿入溝１４２ａの最前方位置にある前記前腕部施療部５ａを後方へ移動させる場合は、前記バネ６２ａの引張力に抗して勝るよう前記膨縮袋６１ａへ給気して膨張力を高めていくことにより可能となる。
【００５４】
また、後方へ移動する前記前腕部施療部５ａを所定位置に静止させる場合は、前記バネ６２ａの引張力と前記膨縮袋６１ａの膨張力とが等しくなるよう前記空気給排装置４２ａにより膨縮袋６１ａへ給気すればよい。
【００５５】
逆に前方の所定位置まで前記前腕部施療部５ａを移動させる場合は、前記膨縮袋６１ａの膨張力を弱め、所定位置において再び膨縮袋６１ａの膨張力がバネ６２ａの引張力と等しくなるよう前記空気給排装置４２ａにより膨縮袋６１ａから排気すればよい。
【００５６】
前記前腕部施療部５ａを前記腕部挿入溝１４２ａの最前方位置に戻して収納する場合は、前記膨縮袋６１ａから排気すれば、前記バネ６２ａの引張力により最前方位置まで腕施療部が移動する。
【００５７】
このように、前記前腕部施療部５ａを被施療者の腕部に沿って移動可能に設けたので、被施療者の所望に応じて自在に位置調整が行え、前腕部施療部５ａにおける施療を実施しながら、腕部における施療を所望する部位に位置変更することができる。
【００５８】
尚、図７及び図８に示すように、移動する前記前腕部施療部５ａに設けた前記膨縮袋４ａと接続して空気を供給するエアホース４１ａがその移動に伴って閉塞されないよう、該エアホース４１ａを通行させる通行溝１４４ａを前記腕部挿入溝１４２ａに形成している。
【００５９】
また、図１５に示すように、前記前腕部施療部５ａを前記背凭れ部１２ａのリクライニングと同じ方向に連動するよう、リンク機構７ａを具備してもよい。これにより、背凭れ部１２ａがリクライニングしても、前腕部における施療範囲が減少することなく、被施療者の前腕部に対する十分な施療を実施することができる。尚、この連動の際、前腕部施療部５ａを押し出すための前記膨縮袋６１ａへの給気は停止し、前記バネ６２ａの引張力に抗して前腕部施療部５ａを移動させる。
【００６０】
さらに、本発明の施療機１ａは図９に示すように、前記前腕部施療部５ａを上部前腕施療体５１ａ及び下部前腕施療体５２ａに分割形成すると共に、それらを前記施療部移動機構６ａにより同時にまたは各別に移動するようにしたものとしている。
【００６１】
すなわち、前記上部前腕施療体５１ａ及び前記下部前腕施療体５２ａのそれぞれ個別に、前述した施療部移動機構６ａを設けてなり、図１０に示す上部前腕施療体５１ａ及び下部前腕施療体５２ａが同時に移動したり、図１１に示すように各別に独立して移動したりするように構成して、多様な空圧施療を実施できる。
【００６２】
特に、図１２に示すように、前記上部前腕施療体５１ａ及び前記下部前腕施療体５２ａがそれぞれ前後方向において異なる位置で同期押圧施療を実施する場合、前腕部に対するストレッチ効果をもたらすことが可能となる。
【００６３】
さらに、図１３及び図１４に示すように、前記各膨縮袋４ａを膨張させた状態で前記上部前腕施療体５１ａ及び前記下部前腕施療体５２ａを相互に異なる方向へそれぞれ前記各施療部移動機構６ａにて移動させることで、前腕部全体を摺擦しながらストレッチ効果をもたらすことができ、且つ、手部の付近においては、前腕部に対して手部を上下方向に動かすことになり、手首ストレッチを実施することができる。
【００６４】
上記のように、本発明の施療機１ａは独特な構成となっているため、被施療者がリラックスした状態で前腕部に対する施療を受けることができる。すなわち、
前記肘掛部１４ａにおける前記壁面部１４５ａの内部において前記前腕部施療部５ａを移動可能に設けた内蔵型の前腕部狭持機構５としたので、この前腕部狭持機構５全体がコンパクトになって、従来のように被施療者の身体的及び視覚的な圧迫感となっていた肘掛部の外部における前腕部狭持機構の露出が解消される。よって、被施療者はリラックスして安静のうちに椅子本体１０ａに着座して、被施療者の前腕部に対する充実した施療を実施することができる。
【００６５】
また、前記肘掛部１４ａにおいて、被施療者の前腕部を載置する前記前腕部載置面１４１ａと前記前腕部施療部５ａを備えた前腕部狭持機構５とを個別に設けたため、被施療者は所望に応じてそれらを使い分けることができる。その結果、従来はそれらを兼用して椅子本来の肘掛部の機能が前腕部施療部によって妨げられ、且つそれによって不必要に前腕部周辺における拘束感や圧迫感を被施療者にもたらしていたが、その問題は解消されることになり、そのうえ、前記背凭れ部１２ａ及び前腕部施療部５ａの連動により、前腕部における施療範囲が減少する問題も阻止されて、前腕部に対する多様で充実した空圧施療が実施可能となるのである。
【図面の簡単な説明】
【００６６】
【図１】本発明の施療機の一実施形態を示す斜視図である。
【図２】本発明の施療機の一実施形態を示す使用時の斜視図である。
【図３】本発明の施療機に備えた背凭れ部及び足載部の回動の一実施形態を示す側面説明図である。
【図４】本発明の施療機に備えた背凭れ部における側壁部に設けた膨縮袋の膨縮の一実施形態を示す説明図である。
【図５】本発明の施療機に備えた前腕部施療部の一実施形態を示す斜視図である。
【図６】本発明の施療機に備えた前腕部施療部の移動の一実施形態を示す側面説明図である。
【図７】本発明の施療機に備えた前腕部施療部の移動の一実施形態を示す平面説明図である。
【図８】本発明の施療機に備えた前腕部施療部の移動の一実施形態を示す平面説明図である。
【図９】本発明の施療機に備えた前腕部施療部を上部前腕施療体及び下部前腕施療体で構成した一実施形態を示す側面説明図である。
【図１０】本発明の施療機に備えた上部前腕施療体及び下部前腕施療体で構成した前腕部施療部の移動の一実施形態を示す側面説明図である。
【図１１】本発明の施療機に備えた上部前腕施療体及び下部前腕施療体で構成した前腕部施療部の移動の一実施形態を示す側面説明図である。
【図１２】本発明の施療機に備えた上部前腕施療体及び下部前腕施療体で構成した前腕部施療部におけるストレッチ施療の一実施形態を示す側面説明図である。
【図１３】本発明の施療機に備えた上部前腕施療体及び下部前腕施療体の移動の一実施形態を示す側面説明図である。
【図１４】本発明の施療機に備えた上部前腕施療体及び下部前腕施療体の移動の一実施形態を示す側面説明図である。
【図１５】本発明の施療機に備えた背凭れ部及び前腕部施療部の回動及び移動の一実施形態を示す側面説明図である。
【図１６】従来技術を示す参考図である。
【図１７】従来技術を示す参考図である。
【図１８】従来技術を示す参考図である。
【符号の説明】
【００６７】
１ａ  施療機
１０ａ  椅子本体
１１ａ  座部
１２ａ  背凭れ部
１３ａ  足載部
１３１ａ  凹部
１４ａ  肘掛部
１４１ａ  前腕部載置面
１４２ａ  腕部挿入溝
１４３ａ  ガイドレール
１４４ａ  通行溝
１４５ａ  壁面部
２ａ  側壁部
３ａ  背部施療機構
３１ａ  施療子
３２ａ  ガイドレール
４ａ  膨縮袋
４１ａ  エアホース
４２ａ  空気給排装置
５  前腕部狭持機構
５ａ  前腕部施療部
５０ａ  フレーム
５０１ａ  回転輪
５１ａ  上部前腕施療体
５２ａ  下部前腕施療体
６ａ  施療部移動機構
６１ａ  膨縮袋
６２ａ  バネ
７ａ  リンク機構
【図１】
2010011974.tif 000003
【図２】
2010011974.tif 000004
【図３】
2010011974.tif 000005
【図４】
2010011974.tif 000006
【図５】
2010011974.tif 000007
【図６】
2010011974.tif 000008
【図７】
2010011974.tif 000009
【図８】
2010011974.tif 000010
【図９】
2010011974.tif 000011
【図１０】
2010011974.tif 000012
【図１１】
2010011974.tif 000013
【図１２】
2010011974.tif 000014
【図１３】
2010011974.tif 000015
【図１４】
2010011974.tif 000016
【図１５】
2010011974.tif 000017
【図１６】
2010011974.tif 000018
【図１７】
2010011974.tif 000019
【図１８】
2010011974.tif 000020